(57)【特許請求の範囲】
【請求項１】
浴槽への湯の落とし込みと風呂追い焚きの機能を備えた給湯器と、浴槽のバスアダプターと給湯器とを結ぶ循環路から温水を分岐させて温水暖房器に温水を循環させる温水分岐ユニットとを備え、
風呂自動運転と暖房運転とを同時に行う際には、前記温水暖房器に湯を循環させることなく、風呂自動運転を単独で行う場合よりも低い温度の湯を浴槽内に落とし込んだ後、風呂追い焚き運転時に暖房運転を行わせるようにしたことを特徴とする暖房機能付きの風呂装置。
【請求項２】
浴槽への湯の落とし込みと風呂追い焚きの機能を備えた給湯器と、浴槽のバスアダプターと給湯器とを結ぶ循環路から温水を分岐させて温水暖房器に温水を循環させる温水分岐ユニットとを備え、
風呂自動運転と暖房運転とを同時に行う際、浴槽内の湯温が所定温度よりも低い場合には、単独で風呂追い焚き運転を行い、浴槽内の湯温が所定温度よりも高い場合には、風呂追い焚き運転と暖房運転とを行わせるようにしたことを特徴とする暖房機能付きの風呂装置。
【請求項３】
浴槽への湯の落とし込みと風呂追い焚きの機能を備えた給湯器と、浴槽のバスアダプターと給湯器とを結ぶ循環路から温水を分岐させて温水暖房器に温水を循環させる温水分岐ユニットとを備え、
浴槽へ循環路から両搬送で湯を落とし込むと同時に暖房運転を行う際、給湯器で加熱された湯を循環路の片側から直接浴槽内に落とし込むと共に、給湯器で加熱された湯を追焚回路で再加熱してから温水暖房器を経由させて循環路のもう一方の片側から浴槽内に落とし込むようにしたことを特徴とする暖房機能付きの風呂装置。
【発明の詳細な説明】
【０００１】
【発明の属する技術分野】
本発明は、暖房機能付きの風呂装置に関する。具体的にいうと、浴槽への湯の落とし込み及び追い焚きを行うと共に浴室を暖房する機能を備えた暖房機能付きの風呂装置に関する。
【０００２】
浴室に設置され、温風を吹き出して浴室内に吊された衣類を乾燥させたり、浴室内を暖房したりするための浴室暖房装置や浴室換気乾燥装置（以下、浴室暖房装置と総称する）が従来より使用されている。このような浴室暖房装置では、内蔵の熱交換器内に湯を循環させて空気と熱交換させ、熱交換器で加熱された空気を浴室に向けて吹き出すようにしている。
【０００３】
このような温水式の浴室暖房装置のうちには、自動式の風呂装置と一体化もしくは連動させるようにしたものがある。このような浴室暖房機能を備えた自動風呂装置では、風呂自動運転及び浴室暖房運転をいずれもオンにした場合には、まず浴槽内に湯を落とし込み、浴槽内の一定水位まで湯が張られたら湯の落とし込みを停止し、ついで浴槽内の湯を追い焚きして設定温度まで焚き上げるようにしており、この風呂追い焚き運転と同時に浴槽内の湯を浴室暖房装置の熱交換器にも循環させて浴室内の暖房を行えるようにしている。
【０００４】
従って、このような浴室暖房機能付きの自動風呂装置では、自動的に風呂を沸かすことができると共に、冬季においては、風呂が沸き上がると同時に浴室内が適温に暖房されるようになっていた。
【０００５】
【発明が解決しようとする課題】
しかしながら、このような従来の自動風呂装置では、浴槽内に湯を落とし込む際、設定温度の湯を落とし込んだ後追い焚き運転を行っていたので、風呂追い焚き運転の時間が浴室暖房に要する時間に比べて短くなっていた。そのため、浴槽内の所定水位まで設定温度の湯が張られて風呂自動運転が終了し、入浴可能な状態になっても、浴室内が十分に暖房されていないということが多かった。
【０００６】
また、浴槽内に残水があった場合には、風呂追い焚き運転と同時に暖房運転を行うと、浴室暖房装置の熱交換器内に低温の水が循環するので、かえって浴室の温度を下げてしまい、浴室暖房の効率を低下させることがあった。その結果、ますます浴室暖房に時間が掛かり、焚き上げ時間と浴室暖房に要する時間との差が広がっていた。
【０００７】
本発明は上記の従来例の問題点に鑑みてなされたものであり、その目的とするところは、暖房機能付きの風呂装置において、浴槽内の湯が設定温度まで焚き上がった頃には、浴室内も入浴に快適な温度まで暖房されているよう効率的な暖房を行うことにある。
【０００８】
【課題を解決するための手段とその作用】
請求項１に記載した暖房機能付きの風呂装置は、浴槽への湯の落とし込みと風呂追い焚きの機能を備えた給湯器と、浴槽のバスアダプターと給湯器とを結ぶ循環路から温水を分岐させて温水暖房器に温水を循環させる温水分岐ユニットとを備え、風呂自動運転と暖房運転とを同時に行う際には、前記温水暖房器に湯を循環させることなく、風呂自動運転を単独で行う場合よりも低い温度の湯を浴槽内に落とし込んだ後、風呂追い焚き運転時に暖房運転を行わせるようにしたことを特徴としている。
【０００９】
請求項１に記載した暖房機能付きの風呂装置にあっては、風呂自動運転と暖房運転とを同時に行う際には、前記温水暖房器に湯を循環させることなく、風呂自動運転を単独で行う場合よりも低い温度の湯を浴槽内に落とし込むようにしているから、風呂追い焚き運転の時間、すなわち暖房運転の行われる時間が長くなり、風呂の焚き上がりとほぼ同じ頃には浴室も入浴に快適な温度まで暖房することができる。
【００１０】
請求項２に記載の暖房機能付きの風呂装置は、浴槽への湯の落とし込みと風呂追い焚きの機能を備えた給湯器と、浴槽のバスアダプターと給湯器とを結ぶ循環路から温水を分岐させて温水暖房器に温水を循環させる温水分岐ユニットとを備え、風呂自動運転と暖房運転とを同時に行う際、浴槽内の湯温が所定温度よりも低い場合には、単独で風呂追い焚き運転を行い、浴槽内の湯温が所定温度よりも高い場合には、風呂追い焚き運転と暖房運転とを行わせるようにしたことを特徴としている。
【００１１】
請求項２に記載の暖房機能付きの風呂装置にあっては、浴槽内に残水があって循環路を循環する浴槽水の温度が低いうちは温水暖房器に浴槽水を循環させず、浴槽水の温度が高くなってきたら温水暖房器に循環させて浴室の暖房を行えるようにしているので、低温の浴槽水によって浴室の温度が下げられることが無く、効率よく浴室温度を高くすることができる。よって、浴槽の湯が焚き上がったころには、浴室も入浴に快適な温度まで暖房される。
【００１２】
請求項３に記載の暖房機能付きの風呂装置は、浴槽への湯の落とし込みと風呂追い焚きの機能を備えた給湯器と、浴槽のバスアダプターと給湯器とを結ぶ循環路から温水を分岐させて温水暖房器に温水を循環させる温水分岐ユニットとを備え、浴槽へ循環路から両搬送で湯を落とし込むと同時に暖房運転を行う際、給湯器で加熱された湯を循環路の片側から直接浴槽内に落とし込むと共に、給湯器で加熱された湯を追焚回路で再加熱してから温水暖房器を経由させて循環路のもう一方の片側から浴槽内に落とし込むようにしたを特徴としている。ここで、両搬送とは、循環路の往き管と戻り管から同時に浴槽内へ湯を落とし込むことである。
【００１３】
請求項３に記載の暖房機能付きの風呂装置にあっては、給湯器で加熱された湯を循環路の一方で直接浴槽に湯を落とし込み、給湯器で加熱された湯を循環路の他方で追焚回路により再加熱してから温水暖房器を経由して浴槽内に落とし込むようにしているので、湯の落とし込み時に効率よく浴室の暖房を行なうことができ、浴室温度の上昇を早めることができる。よって、浴槽の湯の焚き上がりと浴室の暖房完了との時間差を小さくできる。
【００１６】
【発明の実施の形態】
（第１の実施形態）
図１は本発明の一実施形態による暖房機能付きの風呂装置１の構成を示す図である。この風呂装置１は、主として給湯器２及び温水分岐ユニット３から構成されている。給湯器２は、燃焼号数が比較的大きな主缶体４と燃焼号数が比較的小さな副缶体５から構成されており、主缶体４内には熱交換器６とガスバーナ７が設けられ、副缶体５内にも熱交換器８とガスバーナ９が設けられている。主缶体４内に設けられた熱交換器５の入水口には、上水道等から水を注入される入水管１０が接続され、熱交換器６の出湯口には、熱交換器６で加熱した湯をカランやシャワーヘッド等の出湯端末１３に供給するための出湯管１１が接続されており、入水管１０には熱交換器６に流入する水の水量を検出するための流量センサ１４が設けられ、熱交換器６には缶体温度を検出するための缶体温度センサ１５が設けられ、出湯管１１には熱交換器６から出湯される湯の温度を検出するための出湯温度センサ１６と流量制御バルブ１７が設けられている。
【００１７】
副缶体５内に設けられた熱交換器８の入水口と出湯口には、それぞれ浴槽１８のバスアダプター１９に接続された循環路往き管２０と循環路戻り管２１が接続されており、循環路戻り管２１には循環ポンプ２２、風呂水流スイッチ２３及び循環温度センサ２４が設けられており、循環温度センサ２４により浴槽１８内の湯温を検知できるようにしている。また、給湯器２の出湯管１１から分岐した湯落とし込み管１２は、循環ポンプ２２の下流側で循環路戻り管２１に接続されている。
【００１８】
また、主缶体４及び副缶体５内のガスバーナ７，９は、ガス供給管３６を通じて供給された可燃性ガスを燃焼させることにより、各熱交換器６，８を加熱する。
【００１９】
温水分岐ユニット３は、浴槽１８のバスアダプタ１９と給湯器２とを結ぶ循環路（２０，２１）を分岐させ、浴室に設置された暖房ユニット（例えば、暖房機能を備えた浴室暖房装置）２５内の熱交換器２６へ湯を供給するものである。すなわち、温水分岐ユニット３内には、２つの三方弁２７，２８が設けられており、一方の三方弁２７は循環路往き管２０の途中に接続され、他方の三方弁２８は循環路戻り管２１の途中に接続される。また、循環路往き管２０に接続される三方弁２７からは、暖房用往き管２９が分岐し、暖房用往き管２９の先端は暖房ユニット２５内に設けられた熱交換器２６の湯入口に接続されている。循環路戻り管２１に接続される三方弁２８からは、暖房用戻り管３０が分岐しており、暖房用戻り管３０の途中にはエアセパレータ３１が設けられている。
【００２０】
エアセパレータ３１は湯を貯める空間を有しており、暖房戻り管３０の三方弁側の部分はエアセパレータ３１の底面に接続され、暖房戻り管３０の暖房ユニット側の部分はエアセパレータ３１の側面に接続されている。また、三方弁２７よりも浴槽側において、循環路往き管２０からはオーバーフローパイプ３２が分岐しており、オーバーフローパイプ３２は水流スイッチ３３を介してエアセパレータ３１の上面に接続されている。
【００２１】
なお、図中３４は暖房ユニット２５の室温検知センサ、３５は温水分岐ユニット３のコントローラ、３７は給湯器２のコントローラである。
【００２２】
以下、上記のような構造を有する暖房機能付き風呂装置１の自動運転時の動作を図２〜図５の動作説明図及び図６のフロー図に従って説明する。まず、浴室や台所等に設置されているリモートコントローラ（図示せず）によって風呂自動運転スイッチと浴室暖房スイッチとがオンにされた場合（Ｓ１）を説明する。この場合、風呂自動運転のオン信号及び浴室暖房のオン信号は、温水分岐ユニット３のコントローラ２５に送られる。このオン信号を受け取ると、温水分岐ユニット３は、図２に示すように、各三方弁２７，２８をそれぞれ浴槽側で開状態にし、給湯器２に風呂自動運転と浴室暖房運転とが同時運転であることを伝える。
【００２３】
給湯器２は、同時運転であることを認識すると、自動落とし込み運転を行う際の落とし込み温度を、リモートコントローラ等で設定されている設定温度ＴｓよりもΔＴ（例えば、２゜Ｃ）だけ低い温度に設定する（Ｓ２）。ついで、図２に示すように、入水路１０から流入し主缶体４で設定温度ＴｓよりもΔＴだけ低い温度Ｔｓ−ΔＴに加熱された水は、出湯路１１及び湯落とし込み管１２を経て、循環路往き管２０及び循環路戻り管２１から浴槽１８へ両搬送で落とし込まれる（Ｓ３）。
【００２４】
こうして浴槽１８内に湯が落とし込まれて設定水位まで湯が張られると（Ｓ４）、湯の落とし込みが停止される（Ｓ５）。
【００２５】
ついで、温水分岐ユニット３内に設けられている循環路往き管２０の三方弁２７が暖房ユニット２５側に切り替えられ、風呂追い焚き運転及び浴室暖房運転が開始される（Ｓ６）。すなわち、図３に示すように、循環ポンプ２２によって浴槽１８内の湯が、バスアダプター１９→循環路戻り管２１→副缶体５の熱交換器８→循環路往き管２０→三方弁２７→暖房往き管２９→暖房ユニット２５の熱交換器２６→暖房戻り管３０→エアセパレータ３１→オーバーフローパイプ３２→循環路往き管２０→バスアダプター１９という経路で循環する。従って、浴槽１８内の湯が副缶体５で追い焚きされると同時に、浴槽１８内の湯が暖房ユニット２５内を循環することによって浴室内が暖房運転される。。
【００２６】
このようにして同時運転しながら、循環温度センサ２４によって浴槽１８内の湯温を検知して設定温度（焚き上げ設定温度）Ｔｓに達したか否か監視し、また暖房ユニット２５内の室温検知センサ３４によって浴室内が暖房設定温度Ｔｒに達したか否か監視する（Ｓ７、Ｓ２２）。
【００２７】
先に浴槽１８内の湯が設定温度Ｔｓまで焚き上がった場合（ステップＳ７でＹＥＳの場合）には、三方弁２７が暖房往き管２９側に、三方弁２８がエアセパレータ３１側にそれぞれ切り替わり、浴槽１８の追い焚き運転は停止し、浴室暖房が単独で運転される（Ｓ８）。すなわち、図４に示すように、循環ポンプ２２によってエアセパレータ３１内の湯が、エアセパレータ３１→三方弁２８→循環路戻り管２１→副缶体５の熱交換器８→循環路往き管２０→三方弁２７→暖房往き管２９→暖房ユニット２５の熱交換器２６→暖房戻り管３０→エアセパレータ３１という経路で循環し、浴室内が暖房運転される。
【００２８】
こうして浴室内の温度も設定温度Ｔｒに達すると（Ｓ９）、副缶体５の燃焼が停止し、循環ポンプ２２が停止し、室内暖房も終了する（Ｓ１０）。そして、リモートコントローラ等によりブザーやメッセージ等を鳴らして報知する。
【００２９】
また、浴室内の温度が先に設定温度Ｔｒに達した場合（ステップＳ１１でＹＥＳの場合）には、三方弁２７がバスアダプター１９側に切り替わり、室内暖房運転は停止し、単独で追い焚き運転される（Ｓ１２）。すなわち、図５に示すように、循環ポンプ２２によって浴槽１８内の湯が、バスアダプター１９→循環路戻り管２１→副缶体５の熱交換器８→循環路往き管２０→バスアダプター１９という経路で循環する。従って、浴槽１８内の湯が副缶体５で追い焚きされる。
【００３０】
こうして浴槽１８内の湯温も設定温度Ｔｓに達すると（Ｓ１３）、副缶体５の燃焼が停止し、循環ポンプ２２が停止し、追い焚き運転も終了する（Ｓ１４）。そして、リモートコントローラ等によりブザーやメッセージ等を鳴らして報知する。
【００３１】
また、風呂自動運転を単独で行う場合（Ｓ１）には、ステップＳ１５〜Ｓ２２に示すように、湯の落とし込み温度を設定温度Ｔｓに等しく設定し（Ｓ１５）、図２のようにして設定水位まで浴槽１８内に湯を落とし込んだ後（Ｓ１６〜Ｓ１８）、図５のようにして浴槽１８内の湯を追い焚きして設定温度Ｔｓまで焚き上げる（Ｓ１９〜Ｓ２２）。
【００３２】
また、浴室暖房運転を単独で行う場合（Ｓ１）には、ステップＳ８〜Ｓ１０及び図４に示すようにして浴室内が設定温度Ｔｒに達するまで暖房運転を行う。
【００３３】
上記のように本発明の風呂装置１においては、風呂自動運転と浴室暖房運転とを同時運転する場合には、浴槽１８内に落とし込む湯の温度を通常よりも低くしているので、その後の追い焚き時間が通常よりも長くなる。さらに、追い焚き運転しながら、その途中で追い焚きされている湯を暖房ユニット２５に循環させているので、浴槽内の湯が暖房ユニット２５で放熱し、一層焚き上がり時間が長くなる。この結果、浴室暖房運転の所要時間と追い焚き運転時間との差を小さくすることができ、追い焚き完了が報知された場合には、それと前後して浴室暖房も終了しており、すぐに快適な状態で入浴することができるようになる。
【００３４】
（第２の実施形態）
次に、浴槽内に残水がある場合の処理に特徴のある実施形態を説明する。この実施形態による風呂装置の構成は、図１と同じであるから、図示を省略する。この実施形態では、浴槽１８への湯の落とし込みと暖房運転とを同時に行う際、浴槽１８内に湯温が所定温度（例えば、設定温度Ｔｓよりも５℃低い温度）よりも低い場合には、単独で風呂追い焚き運転を行い、浴槽１８内の湯温が所定温度よりも高い場合には、風呂追い焚き運転と暖房運転とを行わせるようにしている。従って、浴槽１８内に残水があって、浴槽内の湯温が低い場合には、追焚き当初には追焚き単独運転とし、暖房ユニット２５に冷水が流れるのを避ける。追焚きによって浴槽１８内の湯温が所定温度よりも高くなると、三方弁２７の切替えによって追焚き運転と同時に浴室暖房運転を行なわせる。
【００３５】
従って、浴槽内に残水があって循環路を循環する浴槽水の温度が低いうちは温水暖房器に浴槽水を循環させないので、冷水が暖房ユニット２５内を流れて浴室を冷やすのを防止することができ、効率よく浴室暖房を行なえる。よって、浴槽の湯が焚き上がったころには、浴室も入浴に快適な温度まで暖房される。
【００３６】
（第３の実施形態）
図７は本発明のさらに別な実施形態による風呂装置の湯落とし込み時の様子を示す図である。この実施形態による風呂装置の具体的構成は図１に示したものと同じであるが、ここでは図７の概略図のみを示す。この実施形態にあっては、図７に示すように、湯の落とし込み時には、三方弁２７は暖房ユニット２５側で開かれ、三方弁２８は浴槽１８側で開かれ、主缶体４で加熱された湯は、出湯管１１及び湯落とし込み管１２を経由して循環路往き管２０及び循環路戻り管２１から両搬送で浴槽１８に落とし込まれる。すなわち、主缶体４から出湯された設定温度Ｔｓよりも所定温度ΔＴだけ温度の低い湯は、湯落とし込み管１２を経て循環路戻り管２１に入り、循環路戻り管２１内で浴槽１８側と副缶体５側とに分れる。循環路戻り管２１内を浴槽１８側へ向かった湯は、循環路戻り管２１を通ってバスアダプター１９から直接浴槽１８へ落とし込まれる。
【００３７】
一方、循環路戻り管２１内を副缶体５側へ向かった湯は、循環路戻り管２１→燃焼中の副缶体５の熱交換器８→循環路往き管２０→三方弁２７→暖房往き管２９→暖房ユニット２５の熱交換器２６→暖房戻り管３０→エアセパレータ３１→オーバーフローパイプ３２→循環路往き管２０→バスアダプター１９という経路で浴槽１８に落とし込まれる。よって、この経路では、主缶体４から出湯された湯は、副缶体５で設定温度Ｔｓまで再加熱された後、暖房ユニット２５へ送られて暖房ユニット２５で室内に放熱し、ついで浴槽１８内に落とし込まれる。こうして設定水位まで湯が張られた後は、第１の実施形態と同様に追焚き運転される。
【００３８】
このようにすれば、湯の落とし込み時にも浴室を暖房することができ、しかも副缶体５で再加熱することによって浴室を早く暖めることができ、浴槽の湯の焚き上がり時期とのタイミングを合せることができるようになる。
【００３９】
【発明の効果】
請求項１に記載した暖房機能付きの風呂装置によれば、風呂自動運転と暖房運転とを同時に行う際には、前記温水暖房器に湯を循環させることなく、風呂自動運転を単独で行う場合よりも低い温度の湯を浴槽内に落とし込むようにしているから、風呂追い焚き運転の時間、すなわち暖房運転の行われる時間が長くなり、風呂の焚き上がりとほぼ同じ頃には浴室も入浴に快適な温度まで暖房することができる。
【００４０】
請求項２に記載の暖房機能付きの風呂装置によれば、浴槽内に残水があって循環路を循環する浴槽水の温度が低いうちは温水暖房器に浴槽水を循環させず、浴槽水の温度が高くなってきたら温水暖房器に循環させて浴室の暖房を行えるようにしているので、低温の浴槽水によって浴室の温度が下げられることが無く、効率よく浴室温度を高くすることができる。よって、浴槽の湯が焚き上がったころには、浴室も入浴に快適な温度まで暖房される。
【００４１】
請求項３に記載の暖房機能付きの風呂装置によれば、循環路の一方で直接浴槽に湯を落とし込み、他方で追焚回路により再加熱してから温水暖房器を経由して浴槽内に落とし込むようにしているので、湯の落とし込み時に効率よく浴室の暖房を行なうことができ、浴室温度の上昇を早めることができる。よって、浴槽の湯の焚き上がりと浴室の暖房完了との時間差を小さくできる。
【図面の簡単な説明】
【図１】本発明の一実施形態による暖房機能付き風呂装置の構成を示す図である。
【図２】同上の風呂装置の動作を説明する図であって、湯の落とし込み時の様子を表わしている。
【図３】同上の風呂装置の動作を説明する図であって、風呂の追焚きと浴室の暖房を同時に行なっている時の様子を表わしている。
【図４】同上の風呂装置の動作を説明する図であって、湯の落とし込み時の様子を表わしている。
【図５】同上の風呂装置の動作を説明する図であって、浴室暖房運転時の様子を表わしている。
【図６】同上の風呂装置の動作を説明するフロー図である。
【図７】本発明の別な実施形態による暖房機能付き風呂装置の動作を説明する図であって、湯の落とし込みと浴室の暖房を同時に行なっている時の様子を表わしている。
【符号の説明】
２  給湯器
３  温水分岐ユニット
４  主缶体
５  副缶体
６、８  熱交換器
１８  浴槽
２０  循環路往き管（循環路）
２１  循環路戻り管（循環路）
２２  循環ポンプ
２５  暖房ユニット
２６  暖房ユニットの熱交換器
２７、２８  三方弁
２９  暖房往き管
３０  暖房戻り管
３５、３７  コントローラ
【図１】
0003620357.tif 000002
【図２】
0003620357.tif 000003
【図３】
0003620357.tif 000004
【図４】
0003620357.tif 000005
【図５】
0003620357.tif 000006
【図６】
0003620357.tif 000007
【図７】
0003620357.tif 000008